(57)【要約】【課題】変化に富んだ配光が可能な照明器具を提供する。【解決手段】複数個の発光部ユニット２０により構成される照明器具３０を複数配列して、各照明器具３０の照射方向を個別に変更可能としたので、変化に富んだ配光特性を得ることができる。また、光源ごとに光透過性のカバー２１で覆っているので、照明装置１０全体を覆うカバーが不要であり、コストの低減を図ることができる。【選択図】図１
2010123539.tif 000002
【特許請求の範囲】
【請求項１】
光源を光透過性のカバー部材により覆って発光部ユニットを構成し、複数個の前記発光部ユニットを配置して照明器具を構成し、複数の前記照明器具を配置して構成した照明装置であって、
前記各照明器具が個別に照射方向の変更が可能であることを特徴とする照明器具。
【請求項２】
前記照明器具の照射方向を変更する移動機構を設けたことを特徴とする請求項１記載の照明器具。
【請求項３】
前記発光部ユニットの前方または前記照明器具の前方に拡散エレメントを設けたことを特徴とする請求項1または２記載の照明器具。
【発明の詳細な説明】
【技術分野】
【０００１】
本発明は、複数の光源を照射方向可変に有する照明装置に関するものである。
【背景技術】
【０００２】
従来より、複数の光源を有し、配光特性が可変である照明装置が提案されている（例えば特許文献１参照）。
特許文献１に記載の照明装置としての発光ダイオード投光装置１００では、板状の基板１０１に実装された複数の光源である発光ダイオード（ＬＥＤ）１０２を備えた第１の発光ダイオードモジュール１０３が、中心部に固定的に配設されている。この第１の発光ダイオードモジュール１０３の周囲には、板状の基板１０４に実装された複数のＬＥＤ１０６を備えた第２の発光ダイオードモジュール１０８が環状に配設されて、第１の環状発光ダイオードモジュール群１１０が構成されている。また、第１の環状発光ダイオードモジュール１１０の周囲には、板状の基板１０５に実装された複数のＬＥＤ１０７を備えた第２の発光ダイオードモジュール１０９が環状に配設されて、第２の環状発光ダイオードモジュール群１１１が構成されている。
【０００３】
第２の発光ダイオードモジュール１０８、１０９は、中心部から放射方向に沿って傾動可能になっており、第２の発光ダイオードモジュール１０８、１０９をそれぞれの環状発光ダイオードモジュール群１１０、１１１ごとに同期して傾動させて所望の位置で静止させる。
そして、第１の発光ダイオードモジュール１０３、第１および第２の環状発光ダイオードモジュール群１１０、１１１はハウジング１１２に収納されており、前面は透明ガラス板１１３により覆われている。
【０００４】
これにより、配光特性を変化させている。
【特許文献１】特開２００４−２４１２８７号公報
【発明の開示】
【発明が解決しようとする課題】
【０００５】
しかしながら、前述した特許文献１に記載の従来の発光ダイオード投光装置１００においては、投光装置の全面を一括して透明ガラス板１１３により覆っているため、各基板１０４、１０５は花びらが開閉するように傾斜するのに限度がある。また、各基板１０４、１０５ごとに同期して傾斜させているので、配光の変化が一定であり、さらなる配光の変化が望まれている。
【０００６】
本発明は、従来の問題を解決するためになされたもので、変化に富んだ配光が可能な照明器具を提供することを目的とする。
【課題を解決するための手段】
【０００７】
本発明の照明器具は、光源を光透過性のカバー部材により覆って発光部ユニットを構成し、複数個の前記発光部ユニットを配置して照明器具を構成し、複数の前記照明器具を配置して構成した照明装置であって、前記各照明器具が個別に照射方向の変更が可能である構成を有している。
【０００８】
この構成により、複数個の発光部ユニットにより構成される照明器具を複数配列して、各照明器具の照射方向を個別に変更可能としたので、変化に富んだ配光特性を得ることができる。また、光源ごとに光透過性のカバーで覆っているので、照明装置全体を覆うカバーが不要であり、コストの低減を図ることができる。
【０００９】
また、本発明の照明器具は、前記照明器具の照射方向を変更する移動機構を設けた構成を有している。
【００１０】
この構成により、移動機構を制御することにより、照明器具を移動させて、種々の配光を行うことができる。
【００１１】
さらに、本発明の照明器具は、前記発光部ユニットの前方または前記照明器具の前方に拡散エレメントを設けた構成を有している。
【００１２】
この構成により、各光源の前方に拡散エレメントを設けたので、光源からの光線が拡散して、配光の均一化を図ることができる。
【発明の効果】
【００１３】
本発明は、複数個の発光部ユニットにより構成される照明器具を複数配列して、各照明器具の照射方向を個別に変更可能としたので、変化に富んだ配光特性を得ることができる。また、光源ごとに光透過性のカバーで覆っているので、照明装置全体を覆うカバーが不要であり、コストの低減を図ることができるという効果を有する照明器具を提供することができるものである。
【発明を実施するための最良の形態】
【００１４】
以下、本発明の実施の形態の照明器具について、図面を用いて説明する。
図１（ａ）は本発明実施の形態にかかる照明器具の移動前の状態を示す斜視図、図１（ｂ）は移動後の状態の一例を示す斜視図、図２（ａ）は移動前の状態を示す正面図、図２（ｂ）は図２（ａ）中Ｂ方向から見た側面図、図３（ａ）は移動後の状態を示す正面図、図３（ｂ）は図３（ａ）中Ｂ方向から見た側面図、図４は移動機構の構成図であり、（ａ）は移動前、（ｂ）は移動後を示す。
【００１５】
図１に示すように、本発明の実施形態にかかる照明器具１０では、光源であるＬＥＤ（図示省略）を光透過性のカバー部材２１により覆って発光部ユニット２０を構成する。この発光部ユニット２０を複数個（ここでは、例えば８個）所定位置に配置して照明器具３０を構成する。さらに、複数個（ここでは、例えば７個）の照明器具３０を所定位置に配置して照明器具１０を構成する。
【００１６】
図２および図３に示すように、照明器具３０は、例えば扁平な円筒形状の器具本体３１を有しており、８個の発光部ユニット２０が取り付けられた基板３２が、開口部に取り付けられている。
【００１７】
図１に示すように、７個の照明器具３０は、例えば開口部１１１を有する扁平な有底円筒形状の装置本体支持部１１（図４参照）の内部に配置に支持されており、中央に１個の照明器具３０を有し、その周囲に６個の照明器具３０を配置している。
【００１８】
各照明器具３０は各々照射方向の変更が可能に支持されている。
図１（ａ）および図２（ａ）および（ｂ）では、全ての照明器具３０が平面上に配置されている基本の状態である。すなわち、照射方向が平行になっている。
一方、図１（ｂ）および図３（ａ）および（ｂ）では、中央の照明器具３０以外の照明器具３０を中心側へ傾けて、７個の照明器具３０によって凹面を形成している。従って、所定の距離はなれた１点に、光線を集めることができる。
【００１９】
次に、照明器具３０の向きを変える移動機構４０の一例について説明する。
図４に示すように、外側の照明器具３０（すなわち、中央の照明器具以外の照明器具）は、器具本体３１の中心側端部において装置本体１１支持部１１に回動可能（回動軸４１）に支持されており、外側端部には与圧バネ４２が設けられている。与圧バネ４２は、照明器具３０の外側端部を、装置本体１１支持部１１から遠ざかる方向へ付勢している。与圧バネ４２としては、スプリングバネを用いることができる。
【００２０】
外側の照明器具３０の与圧バネ４２が取り付けられている端部には、ワイヤ４３の一端が取り付けられている。ワイヤ４３の他端は、アイドルプーリ４４を介して、モータ４５の回転軸に取り付けられている巻取プーリ４６に取り付けられている。
【００２１】
次に、照明器具３０の回動動作について説明する。
図４（ａ）に示すように、移動前の状態では、外側に配置された６個の照明器具３０に取り付けられているワイヤ４３は、モータ４５を矢印Ａ方向へ回転させて巻取プーリ４６により巻き取られている。このため、照明器具３０は、与圧バネ４２の付勢力に抗して、矢印Ｃ方向へ回動している。この状態では、全ての照明器具３０が一平面上にあり、照射方向は全ての照明器具３０で平行となっている。
【００２２】
図４（ｂ）に示すように、外側の照明器具１０を回動させる際には、モータ４５を矢印Ｂ方向へ逆転させて、巻取プーリ４６に巻き取られているワイヤ４３を繰り出す。これにより、与圧バネ４２を圧縮方向へ付勢しているワイヤ４３の張力が弱まり、外側の照明器具１３０の外側端は、与圧バネ４２の復帰力により矢印Ｄ方向へ押し出されて傾く。
また、傾いている照明器具３０を平らに戻すには、モータ４５を矢印Ａ方向へ正転させて、巻取プーリ４６にワイヤ４３を巻き取ればよい。
【００２３】
以上、説明した本発明の実施形態にかかる照明器具装置１０によれば、複数個の発光部ユニット２０により構成される照明器具３０を複数配列して、各照明器具３０の照射方向を個別に変更可能としたので、変化に富んだ配光特性を得ることができる。
また、ＬＥＤごとに光透過性のカバー部材２１で覆っているので、照明装置１０全体を覆うカバーが不要であり、コストの低減を図ることができる。
【００２４】
なお、本発明の照明器具は、前述した実施形態に限定されるものでなく、適宜な変形，改良等が可能である。
例えば、前述した実施形態においては、照明器具３０の照射方向を変更する移動機構４０として、モータ４５およびワイヤ４３を用いたものを例示したが、これに限らない。モータおよび歯車機構等や、ソレノイドや流体圧シリンダを用いることもできる。
【００２５】
また、実施例においては、中央の照明器具３０を固定とし、周囲の照明器具３０を一括して移動させる場合について説明したが、各照明器具３０にそれぞれ移動機構を設けて、個々に移動させるようにすることもできる。
この場合には、一層変化に富んだ配向特性を得ることができる。
【００２６】
また、発光部ユニット２０の前方または照明器具３０の前方に拡散エレメントを設けて、発光部ユニット２０からの光線を拡散して、配光の均一化を図ることも可能である。
【図面の簡単な説明】
【００２７】
【図１】（ａ）は本発明実施の形態にかかる照明器具の移動前の状態を示す斜視図、（ｂ）は移動後の状態の一例を示す斜視図
【図２】（ａ）は移動前の状態を示す正面図、（ｂ）は（ａ）中Ｂ方向から見た側面図
【図３】（ａ）は移動後の状態を示す正面図、（ｂ）は図３（ａ）中Ｂ方向から見た側面図
【図４】移動機構の構成図であり、（ａ）は移動前の構成図、（ｂ）は移動後の構成図
【図５】従来の照射方向が可変な照明装置の正面図
【符号の説明】
【００２８】
１０  照明装置
２０  発光部ユニット
２１  カバー部材
３０  照明器具
４０  移動機構
【図１】
2010123539.tif 000003
【図２】
2010123539.tif 000004
【図３】
2010123539.tif 000005
【図４】
2010123539.tif 000006
【図５】
2010123539.tif 000007